(57)【特許請求の範囲】
【請求項１】
前後方向に延びるベース脚の前後端部に取り付けたキャスターの対向側面に当接する当て板を、起倒可能として床面上に設け、かつ両当て板に内側から当接する当接面を両端部に有する支持杆を、左右のベース脚を連結する連結ビームに、引張りばねをもって連結したことを特徴とするキャスタ−付き家具の免震装置。
【請求項２】
当て板と支持杆の当接面とに、互いに補形をなす凹凸部を形成した請求項１記載のキャスタ−付き家具の免震装置。
【請求項３】
支持杆の中央を、床面上に立設した支持軸に枢支し、この支持杆の枢支点と、支持杆の一方の端部との中間部を、引張りばねをもって連結ビームに連結した請求項１または２記載のキャスタ−付き家具の免震装置。
【請求項４】
支持杆の枢支点と他方の端部との中間の外縁に当接するストッパを、床面から立設した請求項３記載のキャスタ−付き家具の免震装置。
【請求項５】
ストッパの上部を、支持杆の側部に係合する食い込み部を有するとともに、下方に付勢された昇降可能なロッドとした請求項４記載のキャスタ−付き家具の免震装置。
【発明の詳細な説明】
【０００１】
【発明の属する技術分野】
本発明は、キャスター付き家具、例えば商品陳列棚の免震装置に関する。
【０００２】
【従来の技術】
例えばキャスター付きの商品陳列棚においては、地震の際に、たキャスターにより移動することによって、商品陳列棚自体の転倒がかなりの程度防止される。
【０００３】
【発明が解決しようとする課題】
しかし、単にキャスターを取り付けただけでは、わずかの外力や振動だけで、商品陳列棚が移動することがあるため、ロック等のブレーキ手段がキャスターに取付けられている。
しかし、キャスターをロックした状態で地震が起これば、商品陳列棚が転倒することとなるので、地震時にロックを解除する必要がある。
このための従来のロック解除装置は、一般に、構造が複雑で操作が面倒であった。
【０００４】
本発明の目的は、キャスター付き家具のキャスターを、簡単な機構で解除して、地震時における家具の転倒を防止することにある。
【０００５】
【課題を解決するための手段】
本発明によると、上記課題は、次のようにして解決される。
(１) 前後方向に延びるベース脚の前後端部に取り付けたキャスターの対向側面に当接する当て板を、起倒可能として床面上に設け、かつ両当て板に内側から当接する当接面を両端部に有する支持杆を、左右のベース脚を連結する連結ビームに、引張りばねをもって連結する。
【０００６】
(２) 上記(１)項において、当て板と支持杆の当接面とに、互いに補形をなす凹凸部を形成する。
【０００７】
(３) 上記(１)または(２)項において、支持杆の中央を、床面上に立設した支持軸に枢支し、この支持杆の枢支点と、支持杆の一方の端部との中間部を、引張りばねをもって連結ビームに連結する。
【０００８】
(４) 上記(３)項において、支持杆の枢支点と他方の端部との中間の外縁に当接するストッパを、床面から立設する。
【０００９】
(５) 上記(４)項において、ストッパの上部を、支持杆の側部に係合する食い込み部を有するとともに、下方に付勢された昇降可能なロッドとする。
【００１０】
【発明の実施の形態】
図１に示す商品陳列棚（Ａ）は、前後方向に延びる左右のベース脚(１)の前後の端部に、キャスター(２)を備えている。
本発明の免震装置は、各キャスター(２)を、常時は商品陳列棚(Ａ)の設置位置において係止し、地震時にはこの係止を解除するようにしたものである。
【００１１】
図１〜図４に示す本発明の免震装置の第１の実施形態では、各キャスター(２)の対向側面に当接する当て板(３)が、蝶番(４)により台板(５)に起倒可能に取り付けられ、台板(５)は、ねじ(６)により床面に固定されている（特に図２参照）。
なお、台板(５)は、床面に単に載置しておくだけでもよい。
この実施形態では、各当て板(３)の対向する面の中央部には、わずかに弧状をなす上下方向を向く凸部(3a)が形成されている。
【００１２】
前後の当て板(３)(３)の対向側面には、前後方向を向く支持杆(７)の先端部に形成された下向きの折曲部(８)の外側面、すなわち当接面(8a)が当接している。
折曲部(８)は、全体として、当て板(３)の凸部(3a)と補形をなす浅い凹入弧状をなしている。
【００１３】
支持杆(７)の中間部は、前後２本のコイル状の引張りばね(９)により、商品陳列棚の左右のベース脚(１)(１)を連結する連結ビーム(10)に設けたの取付金具(11)に連結されている。
なお、この実施形態の場合、引っ張りばね(９)は２本としてあるが、場合によっては、支持杆(７)の中央に１本だけ設けてもよい。
【００１４】
図４の底面図において、地震力が前後方向（この図の左方）に作用し、例えば図面左側上部のキャスター(２)が、商品陳列棚とともに矢印のように後方(図４の左方)に若干動くと、キャスター(２)とそれに当接している当て板(３)との間には、若干の緩みが生ずる。
【００１５】
支持杆(７)は、連結ビーム(10)の方向へ、引張りばね(９)により常時引かれているので、この緩みが、当て板(３)の凸部(3a)とこれに補形をなす支持杆(７)の当接面(8a)の凹部との係合を外すに十分な大きさとなると、図４の想像線に示すように、支持杆(７)は、その後端が前端を中心として内側に回動し、その後、前端も前方の当て板(３)から内側に外れる。
【００１６】
このように、支持杆(７)の一端、及び引き続いて他端が内側に移動すると、前後の当て板(３)は、相前後して、床面上に平らに倒れるので、キャスター(２)は、その前後方向に自由に動くことができる。
【００１７】
図５及び図６に示す第２の実施形態では、前後の当て板(３)を取り付けた台板(５)は、１枚の板材(12)上に取り付けられ、板材(12)が床面に載置されている。
【００１８】
板材(12)の中央に立設された支持軸(13)の上端に、支持杆(７)の中央が枢支され、かつこの枢支点と一方の端部との中間には、引張りばね(９)の一端が止着され、同じくその他端は、連結ビーム(10)の下面に固着した取付金具(11)に止着されている。
【００１９】
支持杆(７)の他方の端部と枢支点との中間部に対応する板材(12)上には、支持杆(７)の外側縁部に当接するストッパ(14)が配設されている。
ストッパ(14)は、昇降可能で、常時下方にばね付勢されているロッド(15)を有し、ロッド(15)の上部には、支持杆(７)の外側縁部が係合するようにした食い込み部(16)が形成されている。
なお、ストッパ(14)を省略して実施することもでき、その場合には、第１の実施形態とほぼ同様の作用及び効果を奏することができる。
【００２０】
このような構成とすることにより、支持杆(７)は、常時はストッパ(15)との当接により正規位置に保持されているが、地震時に支持杆(７)が、支持軸(13)を中心として振動すると、食い込み部(16)と支持杆(７)の外側縁部との係合が外れ、ロッド(15)が下方に引き込まれることにより、支持杆(７)は支持軸(13)を中心に回動し、当て板(３)との係合が外れて、前述と同様に、キャスター(２)を自由にすることができる。
【００２１】
【発明の効果】
本発明によれば、簡単な構造で、地震に際してキャスターの拘束を解除し、家具の移動を自由とし、地震による家具の転倒または棚上の物品の落下を防止することができる。
【００２２】
請求項２記載の発明のようにすると、当て板と支持杆の当接面との係合を確実なものとし、地震のような強い振動の場合以外には、解除作用が妄りに働かないようにすることができる。
【００２３】
請求項３記載の発明のようにすると、支持杆を浮動させずに床面上に支持し、かつ、その動きを円滑にすることができる。
【００２４】
請求項４記載の発明のようにすると、常時における支持杆の停止位置を規定することができる。
【００２５】
請求項５記載の発明のようにすると、ロッドが妄りに下降するのを防止し、誤作動のおそれをなくすことができる。
【図面の簡単な説明】
【図１】本発明の免震装置の第１の実施形態を備えた商品陳列棚の斜視図である。
【図２】図１の左下の免震装置の拡大分解斜視図である。
【図３】商品陳列棚下部に設けた免震装置を示す商品陳列棚の拡大側面図である。
【図４】図３に示す商品陳列棚の底面図である。
【図５】本発明免震装置の第２の実施例の拡大斜視図である。
【図６】図５の実施例の一部分の拡大斜視図である。
【符号の説明】
(Ａ)商品陳列棚
(１)ベース脚
(２)キャスター
(３)当て板
(3a)凸部
(４)蝶番
(５)台板
(６)ねじ
(７)支持杆
(８)折曲部
(8a)当接面
(９)引張りばね
(10)下部連結ビーム
(11)取付金具
(12)板材
(13)支持軸
(14)ストッパ
(15)ロッド
(16)食い込み部
【図１】
0003640048.tif 000002
【図２】
0003640048.tif 000003
【図３】
0003640048.tif 000004
【図４】
0003640048.tif 000005
【図５】
0003640048.tif 000006
【図６】
0003640048.tif 000007